(57)【要約】【課題】運転時の障害となることなく効果的に意図する内容を車外に対して表示し、更に、その表示内容を自由に変更可能とするバックミラーを提供する。【解決手段】バックミラーの鏡面の背部に車外から視認できるよう配した発光表示部と、前記発光表示部に表示するコンテンツを記憶保持する記憶部と、前記記憶部からコンテンツを読み出して前記発光表示部の発光動作を制御する発光制御部と、を備える。発光制御部は、平常の駐車時は、「センサ作動中」との表示を行い、防犯センサ等から異常情報を受信すると、「異常発生！通報中」との表示を行うよう、発光表示部の発光制御を開始する。また、コンテンツは、インターネット上に設置されたサイト等からダウンロード、或いは、運転者の所望の携帯端末機器を介して生成し、記憶部に書き込み可能とする。【選択図】図１
2004182156.tif 000002
【特許請求の範囲】
【請求項１】
鏡面の背部に車外から視認できるよう配した発光表示部と、
前記発光表示部に表示するコンテンツを記憶保持する記憶部と、
前記記憶部からコンテンツを読み出して、前記発光表示部の発光動作を制御する発光制御部と、を備えたこと、
を特徴とするバックミラー。
【請求項２】
鏡面の背部に車外から視認できるよう配した発光表示部と、
前記発光表示部に表示するコンテンツを複数記憶保持する記憶部と、
搭乗者をして、前記発光表示部に表示させるコンテンツを選択させるスイッチ部と、
前記選択に基づいて、前記記憶部からコンテンツを読み出して、前記発光表示部の発光動作を制御する発光制御部と、を備えたこと、
を特徴とするバックミラー。
【請求項３】
請求項１又は２に記載のバックミラーにおいて、更に、
前記記憶部にコンテンツを入力する入力部を備えたこと、
を特徴とするバックミラー。
【請求項４】
請求項１乃至３いずれか一に記載のバックミラーにおいて、
前記発光表示部は、液晶パネル部と、バックライト部と、からなること、
を特徴とするバックミラー。
【請求項５】
請求項１乃至４いずれか一に記載のバックミラーにおいて、
車両に備える防犯センサに接続し、
前記発光制御部は、前記防犯センサから送られる情報に従って、前記発光表示部の作動を制御すること、
を特徴とするバックミラー。
【請求項６】
請求項１乃至５いずれか一に記載のバックミラーにおいて、
前記コンテンツは、盗難防止用の威嚇コンテンツであること、
を特徴とするバックミラー。
【請求項７】
請求項１乃至６いずれか一に記載のバックミラーにおいて、
前記発光表示部は、高輝度の、発光ダイオード又はＥＬ（エレクトロルミネッセンス）のいずれかを含むこと、
を特徴とするバックミラー。
【発明の詳細な説明】
【０００１】
本発明は、少量に備えるバックミラー（後写鏡、以下、バックミラーという）に関し、特に、そのハウジング部に発光表示部を配したものに関する。
【０００２】
【従来の技術】
従来のバックミラーは、その本体に発光表示部（装置）を備えるものに限ってみても、該発光表示部（装置）は、鏡面側に運転者等が視認できるように配されている。
【０００３】
【特許文献１】
実用新案登録３０８６０５８号公報
【０００４】
【特許文献２】
実開昭６３−１０４１４６号公報
【０００５】
例えば、上記実用新案登録３０８６０５８号公報には、そのハウジング内にＬＣＤ（Ｌｉｑｕｉｄ  Ｃｒｙｓｔａｌ  Ｄｉｓｐｌａｙ）を含み、鏡面を構成する反射器を介して、ＬＣＤの作動中には、道路案内情報等の映像又は情報を見ることができるようにしたバックミラーが紹介されている。
【０００６】
一方、自動車の盗難被害の深刻な増加に伴って、センサによって車両に近づいた者や異常開錠を試みた者を検知し、異常発生を表示等する各種の盗難予防装置や、ダミースキャナといわれる前記センサを有しない威嚇用装置を車両に取り付けることが行われている。
【０００７】
また、こうした装置は、車外から目立つ位置に取り付けることが効果的ではあるが、道路運送車両の保安基準（昭和２６年７月２８日運輸省令第６７号）において、自動車の前面及び側面ガラス（運転者席より後方の部分を除く。）に検査標章等以外のものを貼り付けることが禁じられているように、運転者の視野の障害となるおそれがあるため、多くの場合、リアウィンドウの上端乃至下端、或いは、ダッシュボード上に設置せざるを得ないのが現状である。
【０００８】
また、確信的に車両を盗もうとしている者が、順序付けられた発光パターンや印刷ステッカー等により形成された表示内容を存知している場合には、その盗難抑止乃至威嚇効果は、著しく減殺されてしまうという問題点もある。
【０００９】
【発明が解決しようとする課題】
本発明の目的は、上記した事情に鑑みてなされたものであって、その目的とするところは、運転時の障害となることなく効果的に意図する内容を車外に対して表示し、更に、その表示内容を自由に変更可能とするバックミラーを提供することにある。
【００１０】
【課題を解決するための手段】
前記課題を解決するための部を提供する本発明の第１の視点によれば、鏡面の背部に、車外から視認できるよう配した発光表示部と、前記発光表示部に表示するコンテンツを記憶保持する記憶部と、前記記憶部からコンテンツを読み出して、前記発光表示部の発光動作を制御する発光制御部と、を備えたこと、を特徴とするバックミラーが提供される。もちろん、この場合に、前記記憶部は、コンテンツを複数記憶保持可能とし、別途スイッチ部を設けて、前記発光表示装置に表示させるコンテンツを選択させるようにすることも好ましい。
【００１１】
また、上記各バックミラーにおいて、前記発光表示部は、液晶パネル部と、発光素子からなるバックライト部と、からなることが好ましい。また、この場合、周囲の光量を検知する光量センサや防犯センサに接続可能とし、前記発光制御部は、前記各センサから送られる情報に従って、前記バックライト部乃至液晶部の作動を制御するようにすることで、より効果的に外部にコンテンツを表示することができる。
【００１２】
また、走行中の安全性に鑑みれば、上記各バックミラーにおいて、自動車の走行中における前記発光表示部の起動を抑止することが好ましい。
【００１３】
また、上記各バックミラーにおいて、表示させるコンテンツは、特に、盗難防止用の威嚇コンテンツであることが好ましい。
【００１４】
また、上記各バックミラーにおいて、前記発光表示部に、高輝度ないし超高輝度と分類される強力な発光ダイオード又はＥＬ（エレクトロルミネッセンス；ＥｌｅｃｔｒｏＬｕｍｉｎｅｓｃｅｎｔ）を具備させることも好ましい。
【００１５】
【実施例】
続いて、本発明の本発明の第１の実施例について、図面を参照して詳細に説明する。
【００１６】
図１は、本発明の第１の実施例のバックミラーの背面図である。図１を参照すると、ハウジング１外側に発光表示部１０を備え、図示しない電源（車載のバッテリーやソーラー電池等の外部電源、内蔵型蓄電池とを問わない）に接続されたバックミラーが示されている。このほか、記憶部として用いるカード型メモリを保持するため、ハウジング側面には、カード型メモリ挿入口３が、設けられている。
【００１７】
図１の発光表示部１０は、バックミラーのハウジング１正面側に設けられた窓部を介して、車外から視認可能なよう、車両のフロンドガラスの勾配や座席の高さに応じた所望の角度をつけてなっている。上記形状のほか、例えば、図２に示す如く、バックミラーのハウジング１正面側全面に発光表示部１０を配してもよく、例えば、図３に示す如く、発光表示部１０を有する部材を、爪４によって、バックミラーハウジング１に、着脱自在に装着するようにしてもよい。また、バックミラー本来の角度調節のため、上記発光表示部１０の表面上に、保護層乃至保護膜を、適宜設ける等してもよい。
【００１８】
図４及び図５は、図１、図３に示したバックミラーの断面図である。図４を参照すると、バックミラーのハウジング１内に、鏡面２と、発光表示部１０と、図示しない発光制御部２０、カード型メモリへのインターフェース等を実装した基板５と、が配されている。また、図５を参照すると、鏡面２を保持するバックミラーのハウジング１に、発光表示部１０と、図示しない発光制御部２０、カード型メモリへのインターフェース等を実装した基板５と、を備える部材が、爪４を介して、装着されている。
【００１９】
図６は、上記第１の実施例の構成を表したブロック図である。図６を参照すると、発光表示部１０と、コンテンツを記憶保持するカード型メモリにより構成される記憶部２０と、発光表示部１０の発光動作を制御する発光制御部３０と、を備えている。
【００２０】
上記構成からなるバックミラーの動作を説明すると、予めコンテンツを記憶保持させておいたカード型メモリを挿入した状態で、駐車時、エンジン停止時等の予め定めた発光動作開始条件が満たされると、発光制御部３０は、記憶部２０から読み出したコンテンツに従って、発光表示部１０の発光制御を開始する。
【００２１】
例えば、「センサ作動中」なる文字情報を、予め定める時間間隔で点滅させるコンテンツを用いることによって、車両の窃盗を意図する者に対しての威嚇を行う。もちろん、カード型メモリをカード型メモリ挿入口３から取り出して、異なるコンテンツを記憶保持するカード型メモリに、入れ替えることによって、異なる文字情報を表示させることが可能である。
【００２２】
また、発光表示部１０は、搭乗者からの死角にあたるバックミラーの裏側に配されているため、不使用時にあっても、運転上の障害とならないばかりか、使用時には、車両の正面中央の目立つ位置にあって、発光表示するため、効果的に意図する内容を車外に対して表示することが可能である。
【００２３】
続いて、本発明の本発明の第２の実施例について、図面を参照して詳細に説明する。
【００２４】
第２の実施例のバックミラーの外部形状は、上記第１の実施例と、同様であるため省略する。（図１乃至図５参照）。
【００２５】
図７は、上記第２の実施例の内部構成を表したブロック図である。図７を参照すると、発光表示部１０と、「センサ作動中」、「警戒モード」等の複数のコンテンツを複数記憶保持するカード型メモリにより構成される記憶部２０と、発光表示部１０の発光動作を制御する発光制御部３０と、発光表示部に表示させるコンテンツを選択させるスイッチ部４０と、を備えている。
【００２６】
上記構成からなるバックミラーの動作を説明すると、発光制御部３０は、駐車時等の予め定めた発光動作開始条件が満たされると、運転者等によって、スイッチ部４０によって選択された「センサ作動中」又は「警戒モード」なる文字情報を記憶部２０から読み出して、発光表示部１０の発光制御を開始する。
【００２７】
本実施例によれば、特に、運転者が、駐車した場所や、時間帯に応じて、記憶部２０に記憶保持された複数のコンテンツの中から意図する情報の伝達効果の高いコンテンツを選択表示することが可能である。例えば、人気の少ない場所においては、上記「センサ作動中」との文字情報を含むコンテンツを表示させ、比較的人通りの多い場所においては、所有者が戻ってくることを示唆するコンテンツを表示させる等の状況に応じて、使い分けることになる。
【００２８】
上記した第１、第２の実施例において、更に、記憶部２０に各コンテンツを入力する入力部５０を設けることも好ましい変形例である。例えば、入力部５０として、携帯電話用のＵＳＢ（Ｕｎｉｖｅｒｓａｌ  Ｓｅｒｉａｌ  Ｂｕｓ）インタフェースや電子メール受信・解析手段等を備えて、自由に、インターネット上に設置されたサイト等から表示用コンテンツをダウンロード、或いは、自ら携帯電話の操作ボタンを介して文字情報を含むコンテンツを生成し、記憶部２０を構成するカード型メモリに書き込み可能とすることで、陳腐化したコンテンツに代えて、新しいコンテンツを具備させることが可能となる。
【００２９】
続いて、本発明の本発明の第３の実施例について、図面を参照して詳細に説明する。
【００３０】
第３の実施例のバックミラーの外部形状は、上記第１、第２の実施例と、同様であるため省略する。（図１乃至図５参照）。
【００３１】
図８は、上記第３の実施例の内部構成を表したブロック図である。図８を参照すると、上記第２の実施例の構成に加え、更に、センサ周囲の明るさを検知して、発光制御部３０に送信する光量センサ５０に接続されている。光量センサ５０の設置位置は、車外の光量を検知するに好ましい位置であれば、特に限定するものではないが、例えば、バックミラーのハウジング１下端に配してもよい。また、発光表示部１０は、ＴＦＴ（Ｔｈｉｎ  Ｆｉｌｍ  Ｔｒａｎｓｉｓｔｏｒ）、ＳＴＮ（Ｓｕｐｅｒ  Ｔｗｉｓｔｅｄ  Ｎｅｍａｔｉｃ）等の液晶パネル部１１と、ＥＬ（ＥｌｅｃｔｒｏＬｕｍｉｎｅｓｃｅｎｔ）、白色ＬＥＤ（Ｌｉｇｈｔ  Ｅｍｉｔｔｉｎｇ  Ｄｉｏｄｅ）等を用いたバックライト部１２とからなるＬＣＤになっており、バックライト部１２の制御によって、液晶部１１の視感度の調節が可能となっている。
【００３２】
上記構成からなるバックミラーの動作を説明すると、発光制御部３０は、駐車時等の予め定めた発光動作開始条件が満たされると、発光表示部１０の発光制御を開始することとなる。この場合に、発光制御部３０は、光量センサ５０から送信されるセンサ周囲の明るさ情報に従って、バックライト部１１の制御を行う。例えば、センサ周囲が明るい場合には、バックライト部１１をＯＦＦにして、液晶部１２のみによるコンテンツの表示を行い、センサ周囲が暗い場合には、バックライト部１１を点灯して、効果的に意図する内容を車外に対して表示する。
【００３３】
続いて、本発明の本発明の第４の実施例について、図面を参照して詳細に説明する。
【００３４】
第４の実施例のバックミラーの外部形状は、上記第１、第２の実施例と、同様であるため省略する。（図１乃至図５参照）。
【００３５】
図９は、上記第４の実施例の内部構成を表したブロック図である。図９を参照すると、上記第３の実施例の構成に加え、更に、防犯センサ６０に接続されている。防犯センサ６０の種類は、特に限定するものではないが、例えば、熱的赤外線センサ、振動センサ等の所望の防犯センサを用いればよい。
【００３６】
上記構成からなるバックミラーの動作を説明すると、発光制御部３０は、平常の駐車時は、「センサ作動中」との表示を行い、防犯センサ６０から異常情報を受信すると、「異常発生！通報中」との表示を行うよう、発光表示部１０の発光制御を開始する。このようにして、車両に異常が発生した場合にのみ、適宜に防犯コンテンツを表示させることにより、一層の犯罪抑止効果が期待できることになる。
【００３７】
以上、本発明の各実施例について、防犯用に用いるものとして、説明したが、本発明のバックミラーは、そのコンテンツの内容を自由に変更できることからして明らかなとおり、防犯用途に限られるものではない。例えば、記憶部２０として用いるカード型メモリに記憶保持させるコンテンツを変更乃至カード型メモリそのものを差し替えることによって、駐車中の訪問先等の車の所有者の情報、駐車中である旨や試乗車／新型車である旨等の車両の状態・属性情報、当該車両の価格や各種キャンペーン等の広告情報、待ち合わせ等の特定人／不特定人へのメッセージ等種々の情報を表示することが可能である。
【００３８】
なお、上記した各実施例においては、記憶部２０として、カード型メモリを用いるものとして説明したが、特に限定するものでは無いことはもちろんである。例えば、カード型メモリに代えて、ハウジング内にＩＣメモリを直接組み込んでもよく、また、各種の磁気記憶装置等を組み込みないし着脱可能としてもよい。
【００３９】
【発明の効果】
以上のとおり、本発明によれば、設置スペースに悩むことなく、効果的に意図するメッセージを車外に表示することが可能となる。その理由は、バックミラーの背部という、殆どの車両に共通して存在するデッドスペースに、任意のメッセージの表示機能を具備させたことにある。
【図面の簡単な説明】
【図１】バックミラーの発光表示部の一例を表した背面図（ハウジング部正面図）である。
【図２】バックミラーの発光表示部の別の一例を表した背面図（ハウジング部正面図）である。
【図３】発光表示部を着脱可能としたバックミラーの一例を表した背面図（ハウジング部正面図）である。
【図４】図１に示すバックミラーの断面図である。
【図５】図３に示すバックミラーの断面図である。
【図６】本発明の第１の実施例を説明するためのブロック図である。
【図７】本発明の第２の実施例を説明するためのブロック図である。
【図８】本発明の第３の実施例を説明するためのブロック図である。
【図９】本発明の第４の実施例を説明するためのブロック図である。
【符号の説明】
１  ハウジング
２  鏡面
３  カード型メモリ挿入口
４  爪
５  基板
１０  発光表示部
１１  液晶部
１２  バックライト部
２０  記憶部
３０  発光制御部
４０  スイッチ部
５０  光量センサ
６０  防犯センサ
【図１】
2004182156.tif 000003
【図２】
2004182156.tif 000004
【図３】
2004182156.tif 000005
【図４】
2004182156.tif 000006
【図５】
2004182156.tif 000007
【図６】
2004182156.tif 000008
【図７】
2004182156.tif 000009
【図８】
2004182156.tif 000010
【図９】
2004182156.tif 000011